(57)【要約】【課題】原稿撮像装置の表示パネルやスイッチ等の手操作から解放され、照明の明るさ等の環境に影響されることなく、円滑なプレゼンテーションを行うことが可能となる原稿撮像装置を提供する。【解決手段】原稿読取手段で読み取った原稿の画像情報を、表示装置に出力可能とした原稿撮像装置において、前記画像情報についての読み取りや出力処理等の操作を指示する音声を、電気信号に変換し入力する音声入力手段２１〜２３と、前記音声入力手段に入力された操作を指示する音声信号と、予め記録されている操作を指示する信号とが一致していることを認識する信号認識手段２６、２７と、前記信号認識手段によって一致していることが認識された信号と対応する操作を指示する操作指示手段２８と、を有する構成とする。【選択図】            図１
2006324841.tif 000002
【特許請求の範囲】
【請求項１】
原稿読取手段で読み取った原稿の画像情報を、表示装置に出力可能とした原稿撮像装置において、
前記画像情報についての読み取りや出力処理等の操作を指示する音声を、電気信号に変換し入力する音声入力手段と、
前記音声入力手段に入力された操作を指示する音声信号と、予め記録されている操作を指示する信号とが一致していることを認識する信号認識手段と、
前記信号認識手段によって一致していることが認識された信号と対応する操作を指示する操作指示手段と、
を有し、前記操作を指示する音声によって前記画像情報についての読み取りや出力処理等の操作を可能としたことを特徴とする原稿撮像装置。
【請求項２】
前記原稿読取手段がイメージセンサで構成され、
前記イメージセンサから入力された画像情報を、ディジタル画像情報に変換するＡ／Ｄコンバータと、
前記Ａ／Ｄコンバータからの前記画像情報を記憶するメモリと、
前記メモリに記憶された前記画像情報を、前記表示装置に出力する画像情報出力手段と、
を有することを特徴とする請求項１に記載の原稿撮像装置。
【請求項３】
前記予め記録されている操作を指示する信号が、操作を指示するために予め決められたキーワードによる操作信号であることを特徴とする請求項１または請求項２に記載の原稿撮像装置。
【請求項４】
前記予め決められたキーワードによる操作信号と異なる任意のキーワード信号を記録する記録手段と、
前記記録手段に記録された任意のキーワード信号と、前記予め決められたキーワードによる操作信号とを切り替えるキーワード切り替え手段と、
を有し、前記キーワード切り替え手段によりいずれか一方のキーワードによって操作できるようにしたことを特徴とする請求項３に記載の原稿撮像装置。
【請求項５】
前記予め記録されている操作を指示する信号が、操作を指示するために予め記録された操作者の音声信号であることを特徴とする請求項１または請求項２に記載の原稿撮像装置。
【請求項６】
前記予め決められたキーワードによる操作信号、または前記任意のキーワード信号、または予め記録された操作者の音声信号の、いずれかの信号による操作に切り替え可能に構成されていることを特徴とする請求項３〜５のいずれか１項に記載の原稿撮像装置。
【請求項７】
前記原稿撮像装置の動作の指示をするリモコンを備え、該リモコン内に前記音声入力手段、信号認識手段、操作指示手段、等の各手段が設けられていることを特徴とする請求項１〜６のいずれか１項に記載の原稿撮像装置。
【発明の詳細な説明】
【技術分野】
【０００１】
本発明は、パソコンを介さずに読み取った画像をプロジェクタ等の表示装置に出力することが可能な  原稿撮像装置に関するものである。
【背景技術】
【０００２】
最近においては、プレゼンテーションを行うに際して、パソコンの普及とともに液晶プロジェクタ等の表示装置にパソコンを組合せて用いることが一般的である。その場合でも、補助資料等の印刷物につきパソコンを介さずに読み取った画像をプロジェクタ等の表示装置に出力することが必要となることがある。
このような必要性から、従来においては、例えば特許文献１に示されるような読み取った原稿の画像情報を、パソコンを介さずに表示装置に表示する原稿撮像装置が提案されている。この装置はリニアイメージセンサで読み取った原稿の画像情報を、デジタル情報に変換して表示装置に出力するように構成されている。
【特許文献１】特開２００１−１８６３０２号公報
【発明の開示】
【発明が解決しようとする課題】
【０００３】
ところで、上記した従来例のパソコンを介さずに表示装置に表示する原稿撮像装置を用いてプレゼンテーション等を行う場合には、その操作は赤外線によるリモコンか、装置本体に設置されている表示パネルやスイッチなど、手操作によるものであった。しかしながら、このような手操作では、プレゼンテーションでのプロジェクタ使用中に照明を暗くした場合等において、操作スイッチやリモコンのキーの位置がわかり難いことから、原稿撮像装置の操作に手間取ることとなる。そのため、プレゼンテーションが円滑に進まず、聴衆の集中力の妨げとなる等の不都合が生じる原因となっていた。
【０００４】
そこで、本発明は、上記課題を解決し、原稿撮像装置の表示パネルやスイッチ等の手操作から解放され、照明の明るさ等の環境に影響されることなく、円滑なプレゼンテーションを行うことが可能となる原稿撮像装置を提供することを目的とするものである。
【課題を解決するための手段】
【０００５】
本発明は、上記課題を解決するため、つぎのように構成した原稿撮像装置を提供するものである。
すなわち、本発明の原稿撮像装置は、原稿読取手段で読み取った原稿の画像情報を、表示装置に出力可能とした原稿撮像装置において、前記画像情報についての読み取りや出力処理等の操作を指示する音声を、電気信号に変換し入力する音声入力手段と、前記音声入力手段に入力された操作を指示する音声信号と、予め記録されている操作を指示する信号とが一致していることを認識する信号認識手段と、前記信号認識手段によって一致していることが認識された信号と対応する操作を指示する操作指示手段と、を有し、前記操作を指示する音声によって前記画像情報についての読み取りや出力処理等の操作を可能としたことを特徴としている。
【発明の効果】
【０００６】
本発明によれば、原稿撮像装置の表示パネルやスイッチ等の手操作から解放され、照明の明るさ等の環境に影響されることなく、円滑なプレゼンテーションを行うことが可能となる。
【発明を実施するための最良の形態】
【０００７】
上記構成により、本発明の課題を達成することができるが、本発明の実施の形態においては、この原稿撮像装置をより具体的につぎのように構成することができる。原稿読取手段で読み取った原稿の画像情報を、表示装置に出力可能とした原稿撮像装置を、前記原稿読取手段を構成するイメージセンサと、前記イメージセンサから入力された画像情報を、ディジタル画像情報に変換するＡ／Ｄコンバータと、前記Ａ／Ｄコンバータからの前記画像情報を記憶するメモリと、前記メモリに記憶された前記画像情報を、前記表示装置に出力する画像情報出力手段を備えた構成とする。その際、前記本発明の操作を指示する音声によって前記画像情報についての読み取りや出力処理等の操作を可能とした構成において、前記予め記録されている操作信号を、操作を指示するために予め決められたキーワードによる操作信号とすることができる。
また、前記予め決められたキーワードによる操作信号と異なる任意のキーワード信号を記録する記録手段と、前記記録手段に記録された任意のキーワード信号と、前記予め決められたキーワードによる操作信号とを切り替えるキーワード切り替え手段と、を有する構成とし、前記キーワード切り替え手段によりいずれか一方のキーワードによって操作できるようにすることができる。
また、前記予め記録されている操作信号が、操作を指示するために予め記録された操作者の音声信号とすることができる。
また、これらの信号を用いる際、前記予め決められたキーワードによる操作信号、または前記任意のキーワード信号、または予め記録された操作者の音声信号の、いずれか一つの信号による操作に切り替え自在に構成することができる。
また、前記原稿撮像装置の動作の指示をするリモコン内に、前記音声入力手段、信号認識手段、操作指示手段、等の各手段を設けるようにした構成を採ることができる。
上記した本実施の形態の構成によれば、操作者は、各機能ボタンの誤操作などの心配から開放され、内容に集中したプレゼンテーションを行う事が可能となる。また、予め記録された操作者の音声信号を用いる話者識別による構成を採ることにより、周囲の人間の発する声から、操作者のみを認識し操作者だけ操作することが可能となる。これらの機能を利用する事により、より円滑なプレゼンテーションを実現でき、聴衆に対してもより集中できる環境を提供することができる。
【実施例】
【０００８】
以下に、本発明の実施例について説明する。
［実施例１］
実施例１においては、本発明を適用して原稿撮像装置を構成した。
図１に、本実施例における原稿撮像装置の構成を説明するブロック図を示す。
図１において、１は原稿撮像装置、２はレンズ及び原色光源（Ｒ，Ｇ，Ｂ）一体型のリニアイメージセンサ、３は原稿位置検出器、４は画像用Ａ／Ｄコンバータである。
５はリニアイメージセンサ２で読み込みＡ／Ｄコンバータ４でのディジタルデータに変換した原稿情報を後述する表示メモリ７を介して表示装置に表示する前に一時記憶するための第１のバッファメモリである。
６は表示中及び表示後のデータを圧縮して格納しておく第２のバッファメモリ、７は表示メモリ、８は表示メモリ７に書き込まれたデータを逐次ビデオ信号に変換して出力するビデオ信号発生器、９は表示装置情報読み出し器である。
１０は装置全体の動作を制御するＣＰＵ、１１はＣＰＵ１０が使用する制御プログラムや制御データを格納するＲＯＭ、１２は表示性能指定用スイッチ、１３は動作方法指定用スイッチ、１４は液晶プロジェクタなどの表示装置、１５は表示装置１４を接続する表示装置接続用コネクタである。
１６は本装置で読み取る原稿、１７は後述の原稿トレイ１８上に貯えられている複数枚の原稿、１８は原稿トレイ、１９は原稿セット検知器、２０はリモコンからの赤外信号を受信する赤外受信器である。
【０００９】
２１はマイクロフォン、２２はマイクロフォン２１から入力された音を人間の音声に分離する信号フィルタ、２３はフィルタ２２を通った音声信号をデジタル信号に変換する音声用Ａ／Ｄコンバータである。
２４は音声用Ａ／Ｄコンバータ２３でデジタル信号に変換された音声信号と後述するメモリ２５に記録されている特定話者認識データを比較する、特定話者認識用比較器、２５は、比較器２４が一致するべき特定話者データを記録しおく特定話者音声用メモリである。
２６は音声用Ａ／Ｄコンバータ２３でデジタル信号に変換された音声信号と後述するメモリ２７に記録されているキーワード信号を比較する操作キーワード認識用比較器、２７はキーワード認識用比較器２６が一致するべきキーワードを記録しておく操作キーワード用メモリ、２８は比較器２６で一致したキーワードに沿った動作指示信号を出力する指示信号出力器である。
【００１０】
第１のバッファメモリ５及び第２のバッファメモリ６は、半導体メモリでもよいが、ハードディスクなどの不揮発性のメモリ装置などを併用してもよい。
本実施例の装置では、第１のバッファメモリ５に貯えられているデータには圧縮伸長は行わず、第２のバッファメモリ６に貯えられているデータにのみ圧縮伸長の処理を行っている。
第１のバッファメモリ５の容量は、原稿１枚分の容量より多くても少なくてもよく、第１のバッファメモリ５に原稿１枚分以上のデータの蓄積がある場合には、実際の読込動作を伴わずに表示画面の切替えができるためエリアセンサを用いた装置と同等の切替時間を実現できる。
また、第１のバッファメモリ５へのデータの蓄積が原稿１枚分に満たない場合でも蓄積量に応じて表示までの時間を短縮することができるが、本装置では原稿１枚分の容量よりも大きい容量を実装している。
【００１１】
第２のバッファメモリ６の容量は、原稿１枚分の容量より多ければよいが、本実施例の装置では原稿２枚分の容量よりも大きい容量を実装し、それぞれ空きの判定を行う際には空き容量が転送する原稿１枚分の容量に満たない時には空きが無いと判定している。
ＣＰＵ１０は、画像用Ａ／Ｄコンバータ４から第１のバッファメモリ５へデータを転送する第１の転送手段、第１のバッファメモリ５から第２のバッファメモリ６へデータを転送する第２の転送手段、第１のバッファメモリ５又は第２のバッファメモリ６から表示メモリ７へデータを所定の表示形式に変換して転送する第３の転送手段としての機能も有する。
【００１２】
本装置の動作指定や、表示装置１４に表示された原稿画像の表示性能の指定は、動作方法指定用スイッチ１３、表示性能指定用スイッチ１２による操作以外にも、リモコンや音声による操作も可能としている。リモコンからの赤外信号は赤外線受信器２０で、音声はマイクロフォン２１や音声用Ａ／Ｄコンバータ２３で受信、信号変換され、それぞれ動作指示信号や、表示性能指示信号として新規表示、回転表示、再表示などの操作が可能となる。
マイクロフォン２１は有線、無線どちらでも可能で、また、１台設置でも複数設置でも可能な構成にして良い。
【００１３】
つぎに、本実施例の原稿撮像装置における起動後の処理手順を説明する。
図２に、その処理手順を説明するフローチャ−トを示す。
先ず、内部の変数や機構の初期化を行い（ステップＳ１、Ｓ２）、その後にスイッチ、リモコン、音声の動作方法指定手段からの指示待ちループ処理に入る（Ｓ３〜Ｓ１２）。
動作指示はスイッチ、リモコン、音声のどの手段からでも対応可能で、それぞれ動作指示信号に変換され、指示の内容に応じて新規原稿表示（Ｓ７，Ｓ７’）や、回転表示（Ｓ８，Ｓ８’）、鏡像反転表示（Ｓ９，Ｓ９’）、再表示（Ｓ１０  ，Ｓ１０’）などの処理が行われる。
指示の項目では、音声による操作の場合の設定を行う、音声記録モード（Ｓ６、Ｓ６’）も設けてあり、操作スイッチとなる音声操作キーワードを任意の単語に変更できる操作キーワードの設定や、操作者のみの音声で動作する特定話者認識などの設定をする事を可能としている。
【００１４】
動作指示手段により新規原稿表示、回転表示、鏡像反転表示、再表示などの動作の指示がなく、且つ原稿トレイに原稿がセットされていることを原稿セット検知器１９によって検出した場合には、第１のバッファメモリ５に空きがなくなるまで、または原稿トレイ１８に貯えられている原稿１７がなくなるまで連続して原稿の読み取りを行う。
また、新規原稿表示の指示がされたことによって、原稿トレイ１８上に貯えられている原稿１７の連続読み取りを開始するように構成してもよい。さらに本実施形態では、動作指示手段を複数用意して、どの手段からでも指示可能な構成にしたが、複数の動作指示手段の中からひとつの手段のみに限定したり、優先順位を決めて、誤動作を防ぐような構成にしても良い。
なお、本実施例の装置の動作は、回転、鏡像反転、上下反転、サイズ変更、再表示、色調補正、フィルタ処理等も可能である。
【００１５】
つぎに、本実施例の装置における音声操作での音声認識の処理手順について説明する。
図３に、その音声操作での音声認識の処理手順を説明するフローチャ−トを示す。
マイクロフォン２１より入力された音は、信号フィルタ２２により人間の音声のみに分離され、音声用Ａ／Ｄコンバータ２３によりデジタル音声信号に変換される。後述する特定話者認識を使用しない場合は（Ｓ３１、Ｓ３２）、変換されたデジタル信号は操作キーワード認識用比較器２６内のバッファに記録され、操作キーワード用メモリ２７内にある、動作指示スイッチとなる操作キーワード信号と一致する個所が含まれているか比較を行う。（Ｓ３３〜Ｓ３７）。操作キーワードが含まれていた場合、識別されたキーワードに対応した動作指示を行う。
操作キーワードとは、音声によって本装置の動作指示を行うためのスイッチとなる単語であって、例えば新規表示であれば「新規表示」、「次ページ」や回転表示であれば「右回転」、「左回転」などである。
これにより、キーワードを発するだけで各動作を指示することが可能となる。このキーワードは操作キーワード用メモリ２７にあらかじめ記憶されている設定になっているが、プレゼンテーションの内容などによって、操作者に都合の良い任意のキーワードに変更する事も可能な構成になっている。
【００１６】
操作者のみの音声でしか操作不可能とする、特定話者認識を利用する場合、まず、音声記録モードで、認識するべき操作者の音声や声紋を特定話者音声用メモリ２５に記憶させておく。
特定話者認識設定がされていると（Ｓ３１）、マイクロフォン２１より入力され、信号フィルタ２２を通り、音声用Ａ／Ｄコンバータ２３でデジタル信号に変換された音声信号は特定話者認識比較器２４内のバッファに記録され、入力された音声が事前に記録しておいた音声と同じかどうか、識別を行う（Ｓ３２）。一致した場合のみ、さらにその音声信号の中から、あらかじめ記憶されているか、又は操作キーワード変更行為により変更された操作キーワードを識別する（Ｓ３３〜Ｓ３６）。操作キーワードが認識されると、そのキーワードに対応した動作指示が行われる。これにより、プレゼンテーション中に雑音や、聴衆側からの発言による誤動作を防止する事が可能となる。
特定話者認識は、操作キーワードを設定する場合、特定話者音声用メモリ２５にキーワードを記憶させた音声を、特定話者認識するべき音声として使用出来る構成にしても良い。
また、図３の音声認識処理手順は、図１のハードウェアの構成で説明したが、ソフトウェアで音声認識の処理を行う構成にしても良い。
【００１７】
つぎに、本実施例の装置における音声記録モードでの音声記録処理手順について説明する。
図４に、その音声記録モードでの音声記録処理手順を説明するフローチャ−トを示す。
音声操作の場合で、操作者の音声のみに反応して、操作させる事を可能とする特定話者認識を利用する場合、あらかじめ認識するべき操作者の音声を記録させておく必要がある。
ここでは、まず、スイッチ、リモコン、音声により、音声記録モードの特定話者音声記録設定を選択する（Ｓ４１）。マイクロフォンに向かって音声を入力すると特定話者音声用メモリ２５に記録され、特定話者認識設定が完了する（Ｓ４２）。これにより、特定話者認識比較器２４が比較するべきデータが設定され、聴衆からの音声による誤動作などを防ぐ特定話者認識が可能となる。入力するべき音声は、母音などでよい。また、任意の単語を入力し、その中から声紋を読み取り判別する構成にしても良い。特定話者音声用メモリ２５を使わず、後述する操作キーワード設定を利用し、記録した操作キーワードを特定話者認識するべき音声信号とする構成にしても良い。
【００１８】
操作スイッチとなる音声操作キーワードを任意の単語に変更する、操作キーワード設定を利用する場合、まず、スイッチ、リモコン、音声により、音声記録モードの操作キーワード記録設定を選択する（Ｓ４３）。そして、キーワードを変更したい操作に対応したスイッチか、リモコンのボタンを押したままの状態でマイクロフォンに向かって使用したいキーワードを発し、スイッチ、ボタンを解除するとキーワードを記憶しておく特定話者音声用メモリ２５の内容が上書きされ、キーワード変更が完了する（Ｓ４４〜Ｓ４７）。
例えば、新規表示操作のキーワードを「次へ」という操作キーワードに変更する場合、本原稿撮像装置の新規表示の表示スイッチか、リモコンの新規表示の表示ボタンを押したままの状態で、マイクロフォンに向かって「次へ」と音声を入力する。ボタンを解除すると特定話者音声用メモリ２５の新規表示キーワードの内容が上書きされ、キーワード変更が完了する。
【００１９】
特定話者音声用メモリ２５の内容の変更は上書きではなく、追加されて新規表示を操作するキーワードが増えるような構成や、一度電源を切ると変更した内容は無効となり、電源を投入すると、再びあらかじめ記憶されているキーワードに戻るような構成にしても良い。
また、本装置のスイッチやリモコンボタンを押したままでの変更設定の構成以外にも、設定機能画面を設け、表示装置で画面を表示し、その画面により特定話者設定や、操作キーワード設定を行う構成にしても良い。
これにより、操作者の都合や要求に合わせた音声操作にする事も可能であり、話し方のクセや方言などに操作が影響される事がなくなる。
また、操作者の任意のキーワードでも音声操作を行うことが可能である。例えばプレゼンテーション中の説明文章の中から、あるキーワードを選び、それを事前に記録手段に記録しておく。これによって、プレゼンテーション中にそのキーワードが話されることにより本原稿撮像装置が操作されるから、操作のためだけに言葉を発する必要が無くなり、言葉による中断も省略することが可能となる。
【００２０】
［実施例２］
実施例２においては、本発明を適用して実施例１とは別の形態の原稿撮像装置を構成した。実施例１では、音声による操作に必要な各手段を、原稿撮像装置内に設置したが、本実施例では、前記音声による操作に必要な各手段を原稿撮像装置の動作指示を行う手段の一つであるリモコン内に設置した。
図５に、本実施例における原稿撮像装置の構成を説明するブロック図を示す。
図５において、２９は原稿撮像装置の動作を行うリモコンである。
原稿撮像装置の動作を行うリモコン２９は、動作指示用ボタン３０が押されることにより、コード変換器３１が押されたボタンに対応した動作指示信号を選択し、赤外発光ＬＥＤ３２により原稿撮像装置に設置された赤外受信器へむけて送信を行う。
【００２１】
本実施例では、このリモコン２９の構成の中に、音声による操作に必要な、マイクロフォン２１、信号フィルタ２２、音声用Ａ／Ｄコンバータ２３、特定話者認識用比較器２４、特定話者音声用メモリ２５、操作キーワード認識用比較器２６、操作キーワード用メモリ２７を設置する。
これにより、マイクロフォンから入力された音声は、操作キーワード認識比較器により操作キーワードと認識された場合、コード変換器３１により、認識されたキーワードに対応した動作指示信号に変換され、赤外発光ＬＥＤ３２によって出力される。
本実施例の構成によれば、音声処理をリモコン内で行い、赤外線信号に変換し本装置へ動作指示を送ることができるから、音声入力手段の携帯化と無線化を容易に実現することが可能となる。
【図面の簡単な説明】
【００２２】
【図１】本発明の実施例１における原稿撮像装置の構成を示すブロック図。
【図２】本発明の実施例１の原稿撮像装置における起動後の処理手順を説明するフローチャ−ト。
【図３】本発明の実施例１の原稿撮像装置における音声操作での音声認識の処理手順について説明するフローチャ−ト。
【図４】本発明の実施例１の原稿撮像装置における音声記録モードでの音声記録処理手順について説明するフローチャ−ト。
【図５】本発明の実施例２における原稿撮像装置の構成を示すブロック図。
【符号の説明】
【００２３】
１：原稿撮像装置
２：リニアイメージセンサ
３：原稿位置検出器
４：画像用Ａ／Ｄコンバータ
５：第１のバッファメモリ
６：第２のバッファメモリ
７：表示メモリ
８：ビデオ信号発生器
９：表示装置情報読み出し器
１０：ＣＰＵ
１１：ＲＯＭ
１２：表示性能指定用スイッチ
１３：動作方法指定用スイッチ
１４：表示装置
１５：表示装置接続用コネクタ
１６：原稿
１７：多数枚の原稿
１８：原稿トレイ
１９：原稿セット検知器
２０：赤外線受信器
２１：マイクロフォン
２２：信号フィルタ
２３：音声用Ａ／Ｄコンバータ
２４：特定話者認識用比較器
２５：特定話者音声用メモリ
２６：操作キーワード認識用比較器
２７：操作キーワード用メモリ
２８：動作指示信号出力器
【図１】
2006324841.tif 000003
【図２】
2006324841.tif 000004
【図３】
2006324841.tif 000005
【図４】
2006324841.tif 000006
【図５】
2006324841.tif 000007